(57)【要約】【課題】脚廻りからのモレを確実に防止することができ、また、大腿部の動きに対する追従性及び型くずれ防止性に優れた使い捨ておむつを提供すること。【解決手段】股下部における吸収体４の両側部が、着用時に下方に屈曲して着用者の大腿部内側面に沿って配されるようになされている使い捨ておむつであり、吸収体の側縁からおむつ幅方向内側に所定距離をおいた位置に、疎水性材料を用いて防漏壁１２が形成されており、該防漏壁１２には、その長手方向に沿って弾性部材１６が配設されており、吸収体４の側縁部に、表面が疎水性材料に覆われたサイド疎水領域２１が形成されており、サイド疎水領域２１には、その長手方向に沿って弾性部材１９が配設されており、防漏壁の固定端１４とサイド疎水領域２１との間の領域に、該領域の長手方向に沿って、液透過性の表面を有するサイド吸収領域２２が形成されている。【選択図】　図３
2004081618.tif 000002
【特許請求の範囲】
【請求項１】
液透過性の表面シート、液不透過性の裏面シート及びこれら両シート間に介在された液保持性の吸収体を備え、股下部における前記吸収体の両側部が、着用時に下方に屈曲して着用者の大腿部内側面に沿って配されるようになされている使い捨ておむつにおいて、
前記吸収体の側縁からおむつ幅方向内側に所定距離をおいた位置に、疎水性材料を用いて防漏壁が形成されており、該防漏壁には、その長手方向に沿って弾性部材が配設されており、
前記吸収体の側縁部に、表面が疎水性材料に覆われたサイド疎水領域が形成されており、該サイド疎水領域には、その長手方向に沿って弾性部材が配設されており、
前記防漏壁の固定端と前記サイド疎水領域との間の領域に、該領域の長手方向に沿って、液透過性の表面を有するサイド吸収領域が形成されていることを特徴とする使い捨ておむつ。
【請求項２】
前記吸収体は、前記サイド疎水領域の内側端から所定距離離間した位置に、他の部位よりも剛性の低い低剛性領域を有しており、前記低剛性領域のおむつ幅方向内側端と前記サイド疎水領域の内側端との間に位置する領域に、該領域の長手方向に沿って第２弾性部材が配設されている請求項１記載の使い捨ておむつ。
【請求項３】
前記サイド疎水領域に第２防漏壁が形成されており、前記サイド疎水領域に配設された前記弾性部材は、該第２防漏壁に、その長手方向に沿って配設されている請求項１又は２記載の使い捨ておむつ。
【請求項４】
前記防漏壁を形成する前記疎水性材料、前記サイド疎水領域を形成する疎水性材料、及び前記サイド吸収領域の液透過性の表面を形成する材料が、連続した一枚のシート材からなる請求項１〜３の何れか記載の使い捨ておむつ。
【請求項５】
着用者の腹側に配される腹側部の両側縁部と背側に配される背側部の両側縁部とが接合されて、ウエスト開口部及び一対のレッグ開口部を有するパンツ型の形状をなしており、一対の前記レッグ開口部それぞれの周囲に、レッグギャザー形成用のレッグ部弾性部材が配設されており、前記レッグ部弾性部材は、前記腹側部及び前記背側部に位置する長手方向両端部がそれぞれ前記吸収体の側縁よりも幅方向外方に位置し且つその中央部がおむつ股下部において前記吸収体の側縁よりも幅方向内方を通るように、湾曲させて配設されている請求項１〜４の何れか記載の使い捨ておむつ。
【発明の詳細な説明】
【０００１】
【発明の属する技術分野】
本発明は、脚廻りからのモレを確実に防止することができ、また、大腿部の動きに対する追従性及び型くずれ防止性に優れた使い捨ておむつに関する。
【０００２】
【従来の技術及び発明が解決しようとする課題】
従来、使い捨ておむつにおいては、排泄物の漏れを如何に防止するかが重要な課題であり、特公平５−３３６３０号公報には、吸収体を、人体に適合する幅の中央吸収部と、その外側に設けられた外側吸収部とから形成することにより、股間部の密着性を高め、それにより漏れ防止性能を向上させた使い捨ておむつが記載されている。
しかし、この使い捨ておむつにおいては、中央吸収部から漏れ出した便や尿は、比較的容易に外側吸収部に達し、特に排泄量が多い場合などには、外側吸収部を容易に越えて、おむつ側縁からモレを生じる恐れがある。
また、おむつ着用中や着脱時に吸収部側縁にめくれやヨレが生じる等の型くずれが生じる恐れがある。更に、活動時の大腿部の動きに吸収体が追従できず、吸収体と肌の間に隙間ができて漏れが生じる恐れがある。
【０００３】
尚、特開平５−３１７３６２号公報には、液不透過性の防漏壁の固定端とサイドフラップとの間の一部を液吸収領域とした使い捨ておむつが記され、特開平３−１２１０６９には、第１と第２の吸収体を有しており、両吸収体の間にバリアカフスを配置した使い捨ておしめが記されている。
しかし、前記２つの公報には、股下部における吸収体の両側部が、着用時に下方に屈曲して着用者の大腿部内側面に沿って配される使い捨ておむつに特有の、▲１▼活動時および着脱時に吸収体側縁のめくれ、ヨレ等の不都合が発生しやすくなる、▲２▼吸収体側縁が下方を向いているため吸収体側縁部に尿が集中すると容易に外部にモレやすくなる、▲３▼活動時の大腿部の動きに吸収体が追従できず、吸収体と肌の間に隙間ができて漏れが生じやすくなる、という特徴的な問題について解決策が何ら記載されていない。
【０００４】
従って、本発明の目的は、脚廻りからのモレを確実に防止することができ、また、大腿部の動きに対する追従性及び型くずれ防止性に優れた使い捨ておむつを提供することにある。
【０００５】
【課題を解決するための手段】
本発明は、液透過性の表面シート、液不透過性の裏面シート及びこれら両シート間に介在された液保持性の吸収体を備え、股下部における前記吸収体の両側部が、着用時に下方に屈曲して着用者の大腿部内側面に沿って配されるようになされている使い捨ておむつにおいて、前記吸収体の側縁端からおむつ幅方向内側に所定距離をおいた位置に、疎水性材料を用いて防漏壁が形成されており、該防漏壁には、その長手方向に沿って弾性部材が配設されており、前記吸収体の側縁部に、表面が疎水性材料に覆われたサイド疎水領域が形成されており、該サイド疎水領域には、その長手方向に沿って弾性部材が配設されており、前記防漏壁の固定端と前記サイド疎水領域との間の領域に、該領域の長手方向に沿って、液透過性の表面を有するサイド吸収領域が形成されていることを特徴とする使い捨ておむつを提供することにより、上記の目的を達成したものである。
【０００６】
【発明の実施の形態】
以下、本発明をその好ましい実施形態に基づいて説明する。
本発明の第１実施形態としての使い捨ておむつ１は、パンツ型の使い捨ておむつであり、図１〜３に示すように、液透過性の表面シート２、液不透過性の裏面シート３及び両シート２，３間に介在された液保持性の吸収体４を有する吸収性本体１０と、該吸収性本体１０の外側（おむつの外表面側）に位置して該吸収性本体１０が接合固定される外層体３０とを具備しており、着用時に着用者の腹側に配される腹側部Ａの両側縁部Ａ１，Ａ２と背側に配される背側部Ｂの両側縁部Ｂ１，Ｂ２とが接合されて、ウエスト開口部５及び一対のレッグ開口部６，６を有するパンツ型の形状をなしている。
【０００７】
吸収性本体１０は、縦長矩形状をなしており、ホットメルト型接着剤等の公知の接合手段により、外層体３０の長手方向及び幅方向の中央部に接合されている。吸収体４は、吸収性本体１０と略同形状の縦長矩形状の外形を有しており、表面シート２及び裏面シート３間に挟持固定されている。
【０００８】
本実施形態の使い捨ておむつ１は、図５に示すように、股下部Ｃにおける吸収体４の両側部４１，４１が、着用時に下方に屈曲して着用者の大腿部内側面に沿って配されるようになされている。
具体的には、股下部Ｃにおける吸収体４の最小幅が、着用者の股間幅よりも広くなっており、また、一対のレッグ開口部６，６それぞれの周囲に、レッグギャザー形成用のレッグ部弾性部材６１（図１参照）が配設されており、各レッグ部弾性部材６１は、腹側部Ａ及び背側部Ｂに位置する長手方向両端部６２，６３がそれぞれ前記吸収体４の側縁４２よりも幅方向外方に位置し且つその中央部６４がおむつ股下部Ｃにおいて吸収体４の側縁４２よりも幅方向内方を通るように、湾曲させて配設されている。
斯かる構成により、本実施形態のおむつ１においては、左右両側の各レッグ部弾性部材６１の配設部位よりもおむつ幅方向外方に位置する吸収体４の両側部４１，４１が、おむつ着用時に、それぞれ弾性部材６１の配設部位を折り曲げ線として、下方に向かって屈曲し、着用者の大腿部内側面に沿って配される。レッグ部弾性部材６１は、外層体３０を構成する２枚のシート材３１，３２間に固定されている。
【０００９】
使い捨ておむつ１には、腹側部Ａから背側部Ｂに亘るように一対の防漏壁１２，１２が形成されている。一対の防漏壁１２は、それぞれ、疎水性のシート材１５（疎水性材料）を用いて形成されており、防漏壁１２の自由端１３には、該自由端１３に沿って弾性部材１６が伸長状態で配設固定されている。尚、弾性部材１６及び後述する弾性部材１９は、それぞれ自由端から離間して配設されていても良いが、自由端に配設されていることが防漏効果の点から好ましい。
防漏壁１２は、図４に示すように、吸収体４の側縁４２からおむつ幅方向内側（おむつ幅方向中央側）に所定距離をおいた位置に形成されている。即ち、防漏壁１２の固定端（立ち上がりの基端）１４の位置が、吸収体４の側縁４２から幅方向内側に所定距離をおいた位置にある。一対の防漏壁１２，１２は、おむつの展開且つ伸張状態において、おむつ長手方向に直線状に形成されている（図２参照）。
【００１０】
吸収体４の両側縁部４３には、吸収体４の表面が疎水性のシート材１８（疎水性材料）に覆われたサイド疎水領域２１が形成されている。そして、各サイド疎水領域２１には、その長手方向に沿って弾性部材１９が配設されている。
本実施形態のおむつ１における弾性部材１９は、吸収体４の股下部Ｃの長手方向の全域に亘って配されている。サイド疎水領域２１に配設される弾性部材１９は、少なくとも、着用時に下方に屈曲する部分の全長（図２中のＬ）に亘って配されていることが好ましい。
尚、本実施形態における弾性部材１９は、サイド疎水領域２１における吸収体に密着しておらず、第２防漏壁の自由端に配設されている。本実施形態における弾性部材１９のように、サイド疎水領域２１における吸収体に密着しておらず、固定端を持つ突起状の成形物（防漏壁等）に弾性部材が固定されている場合であっても、その固定端がサイド疎水領域にあれば、その弾性部材は、サイド疎水領域に配設された弾性部材である。
【００１１】
そして、図２及び図３に示すように、防漏壁１２の固定端１４とサイド疎水領域２１との間の領域に、該領域の長手方向に沿って、液透過性の表面を有するサイド吸収領域２２が形成されている。
【００１２】
本実施形態のおむつ１によれば、排尿時の尿の液流れが防漏壁１２により遮断されるので、おむつ幅方向中央の中央吸収領域で効率良く吸収させることができる。多量の尿が排泄された場合等には、防漏壁１２を超えてその外側に尿が流出することがあるが、流出した尿も、防漏壁１２の外側に位置するサイド吸収領域２２に吸収される。
本実施形態のおむつ１のように、吸収体の両側部４１，４１が着用時に下方に屈曲するおむつにおいては、サイド吸収領域２２で吸収した尿が、更に吸収体中及び／又は吸収体上を移動し、吸収体側縁部に集中し易い。しかし、吸収体両側縁部に、疎水性材料で覆われたサイド疎水領域２１が形成されており且つ該疎水領域２１が弾性部材１９によって、大腿部内側面に圧接されるため、外部への尿モレを確実に防止することができる。また、サイド疎水領域２１に弾性部材１９を配することで、サイド吸収領域２２の広い範囲を大腿部内側面に対して密着させることができる。
本実施形態のおむつ１においては、尿の流れ方向の複数の箇所に、各位置における最適な防漏手段を配置すると同時に、吸収体側縁部におむつの保形手段（弾性部材１９）を配置することで、それらの防漏手段を相互に補完させ、かつ如何なる活動時においてもその効果を最大限発揮させ、それにより、股下部Ｃからの漏れ防止性能が大幅に向上させている。
【００１３】
更に、活動度の高い大腿部の内側面に、サイド疎水領域２１の弾性部材１９が巻き付くことにより、吸収体側縁部が大腿部の動きに追従し、おむつの型崩れ（大腿部の活動による吸収体側縁部のめくれ、ヨレ、あるいは衣類を着脱する際の擦れによる吸収体側緑のめくれ、ヨレ）が防止される。
即ち、サイド疎水領域に配設される弾性部材１９は、吸収体の密着による防漏効果向上以外に、▲１▼大腿部の動きに連動した吸収体の追従性向上、▲２▼おむつの型崩れ防止（保形性向上）の効果を有する。特に▲１▼の効果が加わることで、従来、防漏効果の低下が避けられなかった活動時においても防漏効果が大幅に向上する。
また、着用者の大腿部の周長は、活動度（運動量の違い）により個人差が非常に大きく、また、活動度の低い方（寝たきりの方、寝たきりに近い方等）では骨格形状があらわになるため表面形状も大きく異なる。サイド疎水領域に弾性部材１９を配設することにより、このような形状変化の激しい大腿部の形状に吸収体側縁部を追従させて隙間が生じないようにすることができる。
【００１４】
防漏性能の向上の観点から、防漏壁１２の高さは２０〜６０ｍｍであることが好ましく、２５〜４５ｍｍであることがより好ましい。
吸収体の両側部４１，４１が着用時に下方に屈曲するおむつにおいては、吸収体両側部が下方へ屈曲することにより、おむつ幅方向中央に位置する吸収体が外方向に比較的大きく膨らみ易い。
防漏壁１２の高さを２０ｍｍ以上とすることで、防漏壁１２を着用者の肌に確実に密着させ、防漏壁としての機能を確実且つ充分に発揮させることができる。
防漏壁１２の高さは、自由端１３と固定端１４との間を平面状に引き延ばし、その状態における自由端１３と固定端１４との間の距離を、防漏壁の長手方向に直交する方向に測定する。
【００１５】
本実施形態のおむつ１における吸収体４は、図４に示すように、サイド疎水領域２１の内側端（おむつ幅方向中央側の端）２１ａから、おむつ幅方向に所定距離離間した位置に、他の部位よりも剛性の低い低剛性領域４４を有している。低剛性領域４４は、股下部Ｃの両側に、各々吸収体４の長手方向に沿って形成されている。
また、図４に示すように、低剛性領域４４のおむつ幅方向内側端４４ａとサイド疎水領域２１の内側端２１ａとの間に位置する領域Ｄ（以下、領域Ｄともいう）に、該領域Ｄの長手方向に沿って弾性部材（第２弾性部材）２５，２５が配設されている。
斯かる構成により、吸収体両側部の下方への屈曲性が一段と向上し、着用中のおむつの形態が容易にトランクス形状となるとともに、サイド吸収領域２２を肌に対する密着性及び防漏性能が向上する。尚、第２弾性部材は、本実施形態におけるように直線状に配設されていても良いが、湾曲していても良い。
【００１６】
低剛性領域の形成方法としては、吸収体の一部の剛性を他の部位の剛性よりも低剛性にし得る限り特に制限されず、例えば▲１▼吸収体の存在しない領域を形成する、▲２▼吸収体の一部を他の部位よりも低坪量とする、▲３▼吸収体の一部を他の部位よりも薄くする、▲４▼吸収体の一部を他の部位よりも剛性の低い材料により形成する、▲５▼細幅のエンボス線を長手方向に沿って付与する、▲６▼長手方向に沿ってスリットを入れる方法等、及びこれらの一または二以上を組み合わせた方法等が挙げられる。
【００１７】
本実施形態のおむつ１における低剛性領域４４，４４は、吸収体４中に、吸収性材料の存在しない部分を設けることにより形成されている。
低剛性領域４４の吸収体坪量とおむつ幅方向中央側の隣接部位（内側隣接部位）の吸収体坪量との比（低剛性領域／内側隣接部位）及び低剛性領域４４の吸収体坪量とおむつ幅方向外方側の隣接部位（外側隣接部位）の吸収体坪量（低剛性領域／外側隣接部位）は、それぞれ０〜０．５であることが好ましい。また、低剛性領域４４と内側及び外側隣接部位との吸収体の坪量差は、それぞれ、少なくとも１００ｇ／ｍ２　以上、特に２００ｇ／ｍ２　以上であることが好ましい。
【００１８】
両側の隣接部位よりも剛性の低い低剛性領域４４を設けることにより、おむつ着用時に、吸収体が決まった部位において確実に屈曲するため、低剛性領域４４より外側に位置する吸収体両側部を大腿部内側面に一層良好にフィットさせることができる。
【００１９】
本実施形態のおむつ１における弾性部材２５は、低剛性領域４４の外側に隣接する高剛性領域４５の配設箇所に、吸収体の長手方向のほぼ全域に亘るように配されているが、弾性部材２５の配設箇所は、低剛性領域４４の配設箇所であっても良いし、低剛性領域４４の配設箇所及び高剛性領域４５の配設箇所に跨って配設されていても良い。また、弾性部材２５は、サイド吸収領域２２を大腿部内側面に密着させる観点から、少なくとも股下部Ｃに配設されていることが好ましい。
また、弾性部材２５を高剛性領域４５の配設箇所に配設する場合、吸収体の肌当接面Ｐ側、非肌当接面Ｑ側及び吸収体中の何れに配設しても良いが、大腿部内側面への密着性の観点から、本実施形態のように吸収体４の非当接面Ｑ側に配設することが好ましい。
サイド吸収領域２２に弾性部材が配されていることが、サイド吸収領域の効率的利用による防漏効果向上の点から好ましい。弾性部材によりサイド吸収領域が長手方向に収縮し、ヒダ状になることで、単位長当たりの吸収体距離が長くなり、吸収効率が向上する。
【００２０】
上述した諸効果を効率的に発現させる観点から、図３に示すように、股下部Ｃにおける吸収体４を、一対の低剛性領域４４よりもおむつ幅方向中央側に位置する高剛性部分４６（以下、中央吸収体ともいう）と、低剛性領域４４よりもおむつ幅方向の外側に位置する高剛性部分４５（以下、レッグ吸収体ともいう）とに区分した場合に、中央吸収体４６の幅Ｗ１は５〜２５ｃｍであることが好ましく、中央吸収体４６とレッグ吸収体４５との間隔Ｗ２は０．５〜１０ｃｍであることが好ましく、レッグ吸収体４５の幅Ｗ３が１〜１０ｃｍであることが好ましい。同様の観点から、股下部Ｃにおける使い捨ておむつの幅Ｗに対するＷｌの比（Ｗ１／Ｗ）は、０．１〜０．８であることが好ましく、比（Ｗ２／Ｗ）は０．０１〜０．３であることが好ましく、比（Ｗ３／Ｗ）は０．０２〜０．３であることが好ましい。これらの数値は、股下部Ｃの最小幅部分における数値である。
股下部Ｃとは、展開且つ伸長状態における使い捨ておむつを、長手方向に３等分するように３つの領域に区分した場合の中央領域をいう。
【００２１】
本実施形態のおむつ１においては、サイド疎水領域２１に第２防漏壁２０が形成されており、前記サイド疎水領域２１に配設された前記弾性部材１９は、第２防漏壁２０の自由端に、該自由端に沿って伸長状態で配設されている。
第２防漏壁２０を設けることで、高速排泄のためサイド吸収領域２２で吸収できなかった尿等の排泄物を一時的に堰き止め、その後、サイド吸収領域２２に吸収させることができる。これにより、サイド吸収領域２２の吸収性能を効果的に活用することができ、防漏効果を一層向上させることができる。
第２防漏壁２０の高さは３〜２０ｍｍであることが好ましく、３〜１０ｍｍであることがより好ましい。第２防漏壁２０の高さが３ｍｍ以上であると、第２防漏壁２０を設けたことによる効果が確実に発現され、該高さを２０ｍｍ以下であると、吸収体側縁部の密着性の低下やめくれ等の不都合の発生を防止しつつ、防漏効果の向上を図ることができる。また、防漏壁２０が伏倒してサイド吸収領域２２を塞いだり、着用時に脚が引っかかる等の不都合も防止することができる。
尚、本実施形態のおむつ１における第２防漏壁２０は、その高さが防漏壁１２より低い。第２防漏壁２０の高さは、防漏壁１２の高さと同様にして測定する。
【００２２】
防漏壁１２及び第２防漏壁２０それぞれの自由端は、長手方向前後端において表面シートに固着されていなくても良いが、防漏効果向上の観点から固着されていることが好ましい。固着位置は、防漏壁の固定端の位置に対して、おむつ幅方向内側（おむつ幅方向の中央側）でも幅方向外側でも良いが、防漏壁の起立性および防漏効果の観点から幅方向内側で固着されていることが好ましい。
【００２３】
また、防漏壁１２及び第２防漏壁２０は、体圧がかかることで、着用時にサイド吸収領域２２上に倒れこみ該領域を覆ってしまう恐れがある。そのため防漏壁１２の高さと第２防漏壁２０の高さとの和がサイド吸収領域の幅よりも小さいことが好ましい。この条件を満たすことで、着用時の活動や防漏壁のイレギュラーな倒れこみ時においてもサイド吸収領域を完全に覆ってしまうことがなく、サイド吸収領域の吸収能力が確実に発現され、防漏効果向上に確実に寄与する。
【００２４】
本実施形態のおむつ１においては、図４に示すように、防漏壁１２を形成する疎水性シート材（疎水性材料）１５、サイド疎水領域２１を形成する疎水性シート材（疎水性材料）１８、及びサイド吸収領域２２の液透過性の表面を形成する材料２３が、連続した一枚のシート材からなる。
防漏壁１２、サイド疎水領域２１およびサイド吸収領域２２を一枚のシート材で形成することで、構成の簡略化、生産性の向上、原材料及びコストの削減を図ることができる。また、防漏壁１２、サイド疎水領域２１およびサイド吸収領域２２をそれぞれ別部材で構成した場合には、それぞれの部材が重なる領域が存在し、その重なり領域では周辺領域に比べ、厚み、剛性が高くなるが、一枚のシート材で構成した場合は、大腿部内側面に密着する領域の厚み、剛性を別体で構成した場合に比べ低く押さえることができ、活動度の高い大腿部内側面における違和感を低減させることができる。
防漏壁１２、サイド疎水領域２１およびサイド吸収領域２２を一枚のシート材で形成する場合のシート材は、親水性シートの一部を疎水化（撥水化）処理したもの、又は疎水性（撥水性）シートの一部を親水化処理したもの等を用いることができ、また、疎水性シートの一部に開孔処理等の液透過手段を施したシート等を用いることもできる。
【００２５】
本発明の効果は、特に本実施形態のおむつ１のような、パンツ型の使い捨ておむつ、即ち、着用者の腹側に配される腹側部の両側縁部と背側に配される背側部の両側縁部とが接合されて、ウエスト開口部及び一対のレッグ開口部を有するパンツ型の形状をなしており、一対の前記レッグ開口部それぞれの周囲に、レッグギャザー形成用のレッグ部弾性部材が配設されており、前記レッグ部弾性部材は、前記腹側部及び前記背側部に位置する長手方向両端部がそれぞれ前記吸収体の側縁よりも幅方向外方に位置し且つその中央部がおむつ股下部において前記吸収体の側縁よりも幅方向内方を通るように、湾曲させて配設されている使い捨ておむつにおいて特に顕著であり、有用である。
【００２６】
詳述すると、あらかじめ製品の前後端両側部が閉じられたパンツ型である場合適応足回り周長は必然的に決まってしまう（これに対して、テープ止めタイプのおむつの場合はテープ位置の調整で比較的広い適応範囲を持つ）。防漏効果を高めるためには吸収体幅を広げることが好ましいが、吸収体幅を広げると、▲１▼足回り周長の適応範囲が小さくなる、▲２▼パンツ着用者は比較的活動度が高いため大腿部に違和感を与える、等の不都合が生じるため、吸収体幅を容易に広げることはできない。狭い吸収体幅でありながら、パンツ型おむつのユーザーの高速（テープ止めタイプのおむつのユーザーに比較して高速）排尿に対応し、防漏効果を大幅に向上させるためには本発明が有用である。特に▲１▼高速排尿を防漏壁１２で遮断し▲２▼防漏壁１２を越えた尿も大腿部に密着したサイド吸収領域２２で吸収し▲３▼サイド吸収領域２２における表面上及び／又は吸収体中を移動した尿が外部へモレることを、弾性部材１９が配設されたサイド疎水領域２１が確実に防止するため、吸収体幅の制約の大きいパンツタイプにおいて、容易に防漏効果の向上を図ることができる。また、サイド疎水領域に配設された弾性部材による▲１▼大腿部の動きに連動した吸収体の追従性向上、▲２▼おむつの型崩れ防止（保形性向上）、の効果は、着用者の活動度の高いパンツタイプにおいて特に発揮される。
【００２７】
レッグ部弾性部材６１は、股下部を幅方向に横断していても良いが、本実施形態のおむつ１における左右のレッグ部弾性部材６１は、おむつ幅方向の両側で独立しており、股下部の幅方向中央部には存在していない。股下部の幅方向中央部に存在させないことで、股下部の幅方向への収縮を抑制し、大腿部内側面への吸収体の密着性の阻害及びそれによる防漏効果の低下を防止することができる。
第２弾性部材２５とレッグ部弾性部材は互いに交差し、且つ交差部及び／又はその近傍で互いに直接あるいは間接的に接合されていることが好ましい。交差部で接合することで、一方の収縮力が他方にも伝わり、互いの収縮が影響を及ぼしあうことで、複雑な活動状況においても吸収体側縁部が大腿部内側に密接し、高い防漏効果を維持できる。
更に、補助吸収具の装着性向上の効果がある。また、補助吸収具の装着性向上の点から吸収体の幅方向中央部には、長手方向全域に亘って、幅方向に収縮する弾性部材が配されていないことが好ましい。
【００２８】
次に、本発明の第２実施形態としての使い捨ておむつについて、図６を参照して説明する。
第２実施形態については、上述した使い捨ておむつ１と異なる点について説明し、同様の点については説明を省略する。特に説明しない点については、第１実施形態のおむつと同様であり上述した説明が適宜適用される。
【００２９】
上述したおむつ１における第２防漏壁２０は、サイド疎水領域２１における吸収体の肌当接面Ｐ側に突出するように形成されていたが、第２実施形態のおむつにおける第２防漏壁２０は、図６に示すように、吸収体の側端面からおむつ幅方向外方に突出するように形成されている。そして、その第２防漏壁２０の先端部（自由端）に弾性部材１９が配設されている。
また、第２実施形態のおむつにおいては、防漏壁１２を形成する疎水性のシート材（疎水性材料）１５、サイド疎水領域２１を形成するシート材（疎水性材料）１８、及びサイド吸収領域２２の液透過性の表面を形成する材料（表面シート２）が、それぞれ別体のシート材である。
【００３０】
上述した両実施形態の使い捨ておむつの形成材料について説明する。
表面シート２、裏面シート３、吸収体４、外層体を構成するシート材３１，３２、防漏壁１２形成用のシート材１５、及び弾性部材１６等の形成材料としては、従来、使い捨ておむつに用いられる各種公知のものを特に制限なく用いることができる。
サイド疎水領域形成用のシート材（第２防漏壁形成用のシート材）１８としては、従来の使い捨ておむつにおける防漏壁形成用のシート材等を用いることができる。サイド疎水領域２１に配設する弾性部材１９としては、従来、使い捨ておむつに用いられている各種の素材及び形態の弾性部材を用いることができ、紐状又は帯状のものが好ましく用いられる。
【００３１】
本発明は、上述した両実施形態に制限されず、本発明の趣旨を逸脱しない範囲内において適宜変更可能である。
例えば、図７に示すように、サイド疎水領域２１は、吸収体の表面が、肌当接面側と非肌当接面側とで別々の疎水性材料（図示例では、一方は裏面シート３）で被覆されていても良い。また、第２防漏壁形成用のシート材は、サイド疎水領域形成用のシート材とは別体の疎水性シートであっても良い。
また、第２防漏壁がなくても良く、その場合、サイド疎水領域２１に配設される弾性部材１９の配設部位は、吸収体４の肌当接面Ｐ側、非肌当接面Ｑ側又は吸収体の側端面、或いは吸収体中であっても良い。
【００３２】
また、上述した実施形態におけるレッグ部弾性部材６１は、背側部から股下部に亘って配された第１弾性部材６１ａと腹側部から股下部に亘って配された第２弾性部材６１ｂとを股下部で重ねることによって、一本の弾性部材と同様に機能するように構成したものであったが、レッグ部弾性部材６１は、それぞれ一本の弾性部材から構成されているものでも良い。また、６１ａと６１ｂは、股下部で離間していても良い。但し、鼠蹊部へのフィット性及び吸収体両側縁部の下方への屈曲性の観点から、６１ａと６１ｂは股下部で重ねることが好ましい。
また、各部の形状等は適宜変更することができ、例えば、吸収体の外形は、矩形状のものの他、台形や砂時計形状等としても良い。また、低剛性領域の形状は、紡錘状、矩形状等としても良い。
【００３３】
また、本発明は、パンツ型の使い捨ておむつの他に、背側部の両側縁部にファスニングテープ、腹側部外表面のファスニングテープに対応するランディングテープを有する、いわゆる展開型の使い捨ておむつに適用することもできる。股下部における吸収体の両側部を、着用時に下方に屈曲させる構成は、吸収体の一部をそのように下方に屈曲させ、着用者の大腿部内側面に沿って配されるようにできる限り特に制限されない。
【００３４】
【発明の効果】
本発明の使い捨ておむつは、脚廻りからのモレを確実に防止することができ、また、大腿部の動きに対する追従性及び型くずれ防止性に優れている。
【図面の簡単な説明】
【図１】図１は、本発明の第１実施形態としての使い捨ておむつを示す斜視図である。
【図２】図２は、図１に示す使い捨ておむつの展開且つ伸張状態を示す平面図である。
【図３】図３は、図２のＸ−Ｘ線模式断面図である。
【図４】図４は、図２のＸ−Ｘ線断面の一部を拡大して示す模式断面図である。
【図５】図５は、図１に示す使い捨ておむつの着用時の状態を模式的に示す断面図である。
【図６】図６は、本発明の第２実施形態としての使い捨ておむつを示す要部断面図である。
【図７】図７は、本発明の更に他の実施形態としての使い捨ておむつの要部を示す断面図である。
【符号の説明】
１　　使い捨ておむつ
２　　　表面シート
３　　　裏面シート
４　　　吸収体
４１　　吸収体の両側部
１２　　防漏壁
１９　　サイド疎水領域に配設される弾性部材
２０　　第２防漏壁
２１　　サイド疎水領域
２２　　サイド吸収領域
Ａ　　腹側部
Ｂ　　背側部
Ｃ　　股下部
【図１】
2004081618.tif 000003
【図２】
2004081618.tif 000004
【図３】
2004081618.tif 000005
【図４】
2004081618.tif 000006
【図５】
2004081618.tif 000007
【図６】
2004081618.tif 000008
【図７】
2004081618.tif 000009